(57)【要約】【課題】シャワー浴時の心臓への負担を軽減し、快適性の向上した給湯機を提供すること。【解決手段】本発明の給湯機は、湯水を加熱する熱源１３と、熱源１３の出力を調節する出力操作部９と、熱源１３で加熱した温水を吐出する吐出部（シャワーヘッド）５と、異なる温度の湯水を交互に出湯する運転動作を開始する温冷スイッチ１０とを備えて、温冷スイッチ１０を操作して温冷浴を開始したときには、所定時間毎に異なる温度の湯水を交互に出湯する。【選択図】図１
2011007432.tif 000002
【特許請求の範囲】
【請求項１】
湯水を加熱する熱源と、前記熱源の出力を調節する出力操作部と、前記熱源で加熱した温水を吐出する吐出部と、異なる温度の湯水を交互に出湯する運転動作を開始する温冷スイッチとを備えたことを特徴とする給湯機。
【請求項２】
前記出力操作部で調節した出力で湯水を加熱して前記吐出部から湯水を出湯させる給湯機であって、前記温冷スイッチを操作して温冷浴運転動作を開始したときは、前記熱源の出力を第１の所定時間毎に変化させることを特徴とする請求項１に記載の給湯機。
【請求項３】
湯水を加熱する熱源と、前記熱源で加熱した温水の温度を検出する温度検出手段と、前記熱源から出湯する温度を調節する温度操作部と、前記熱源で加熱した温水を吐出する吐出部と、異なる温度の湯水を交互に出湯する運転動作を開始する温冷スイッチとを備えたことを特徴とする給湯機。
【請求項４】
前記温度操作部で設定した温度となるように前記熱源の出力を調節して前記吐出部から湯水を出湯させる給湯機であって、前記温冷スイッチを操作して温冷浴運転動作を開始したときは、前記熱源の出力を第１の所定時間毎に変化させることを特徴とする請求項３に記載の給湯機。
【請求項５】
前記温冷浴モード時の低温側の温度を設定可能に構成したことを特徴とする請求項３または４に記載の給湯機。
【請求項６】
前記第１の所定時間を変更する第１所定時間設定手段を備えたことを特徴とする請求項１〜５のいずれか１項に記載の給湯機。
【請求項７】
湯水を加熱する熱源と、前記熱源で加熱した温水の温度を検出する温度検出手段と、前記熱源から出湯する第１の所定温度を設定する温度操作部と、前記熱源で加熱した温水を吐出する吐出部と、前記吐出部からの出湯を開始する出湯スイッチと、前記吐出部へ供給される湯水の温度を検知して前記熱源への通電を制御する自動温度調節器と、異なる温度の湯水を交互に出湯する温冷浴運転動作を開始する温冷スイッチとを備え、前記出湯スイッチを操作して前記吐出部からの出湯を開始すると、前記温度検出手段で検出する温度が、前記温度操作部で設定した第１の所定温度となるように前記熱源の出力を調節して前記吐出部から湯水を出湯させるとともに、前記温冷スイッチを操作して温冷浴運転動作を開始すると、前記自動温度調節器で検知する温度が第２の所定温度以下であれば前記熱源への通電を開始し、第３の所定温度以上であれば前記熱源への通電を停止することを特徴とする給湯機。
【請求項８】
湯水を加熱する熱源と、前記熱源の出力を調節する出力操作部と、前記熱源で加熱した温水を吐出する吐出部と、前記吐出部からの出湯を開始する出湯スイッチと、前記吐出部へ供給される湯水の温度を検知して前記熱源への通電を制御する自動温度調節器と、異なる温度の湯水を交互に出湯する温冷浴運転動作を開始する温冷スイッチとを備え、前記出湯スイッチを操作して前記吐出部からの出湯を開始すると、前記出力操作部で設定した出力となるように前記熱源の出力を調節して前記吐出部から湯水を出湯させるとともに、前記温冷スイッチを操作して温冷浴運転動作を開始すると、前記自動温度調節器で検知する温度が低設定温度以下であれば前記熱源への通電を開始し、高設定温度以上であれば前記熱源への通電を停止することを特徴とする給湯機。
【発明の詳細な説明】
【技術分野】
【０００１】
本発明は、給湯機に関連し、特に、熱源の出力制御に関する。
【背景技術】
【０００２】
従来の給湯機は、熱源で加熱した温水をシャワーヘッドなどの吐出部から出湯し、使用者はシャワー浴を楽しむことができるものがあった（例えば、特許文献１参照）。
【先行技術文献】
【特許文献】
【０００３】
【特許文献１】特開２００８−３０９４０７号公報
【発明の概要】
【発明が解決しようとする課題】
【０００４】
しかしながら、従来の給湯機では、ある一定の温度の湯をシャワーヘッドから出湯させるだけなので、温水の熱さで体が火照り、シャワー浴後には汗をかいてしまうため爽快さが不足してしまう場合があり、疲労感が残ってしまい快適性が損なわれてしまうという課題を有していた。
【０００５】
本発明は、前記従来の課題を解決するもので、心臓への負担を軽減し、快適性の向上した給湯機を提供することを目的とする。
【課題を解決するための手段】
【０００６】
前記従来の課題を解決するために、本発明の給湯機は、湯水を加熱する熱源と、熱源の出力を調節する出力操作部と、熱源で加熱した温水を吐出する吐出部と、異なる温度の湯水を交互に出湯する運転動作を開始する温冷スイッチとを備えたことにより、使用者がシャワー浴を行った場合に、異なる温度の湯水が交互に出湯するシャワー浴を行うことができるので、シャワー浴を行っている最中の心拍数を低下させ、心臓の負担を軽減して快適性を向上させることができる。
【０００７】
また、前記従来の課題を解決するために、本発明の給湯機は、湯水を加熱する熱源と、熱源で加熱した温水の温度を検出する温度検出手段と、熱源から出湯する温度を調節する温度操作部と、熱源で加熱した温水を吐出する吐出部と、異なる温度の湯水を交互に出湯する運転動作を開始する温冷スイッチとを備えたことにより、使用者がシャワー浴を行った場合に、異なる温度の湯水が交互に出湯する温冷浴を行うことができるので、シャワー浴を行っている最中の心拍数を低下させ、心臓の負担を軽減して快適性を向上させることができる。
【０００８】
また、前記従来の課題を解決するために、本発明の給湯機は、湯水を加熱する熱源と、熱源で加熱した温水の温度を検出する温度検出手段と、熱源から出湯する第１の所定温度を設定する温度操作部と、熱源で加熱した温水を吐出する吐出部と、吐出部からの出湯を開始する出湯スイッチと、吐出部へ供給される湯水の温度を検知して熱源への通電を制御する自動温度調節器と、異なる温度の湯水を交互に出湯する温冷浴運転動作を開始する温冷スイッチとを備え、出湯スイッチを操作して吐出部からの出湯を開始すると、温度検出手段で検出する温度が、温度操作部で設定した第１の所定温度となるように熱源の出力を調節して吐出部から湯水を出湯させるとともに、温冷スイッチを操作して温冷浴運転動作を開始すると、自動温度調節器で検知する温度が第２の所定温度以下であれば熱源への通電を開始し、第３の所定温度以上であれば熱源への通電を停止することにより、使用者が
シャワー浴を行った場合に、異なる温度の湯水が交互に出湯する温冷浴を行うことができるので、シャワー浴を行っている最中の心拍数を低下させ、心臓の負担を軽減して快適性を向上させることができる。
【０００９】
また、前記従来の課題を解決するために、本発明の給湯機は、湯水を加熱する熱源と、熱源の出力を調節する出力操作部と、熱源で加熱した温水を吐出する吐出部と、吐出部からの出湯を開始する出湯スイッチと、吐出部へ供給される湯水の温度を検知して熱源への通電を制御する自動温度調節器と、異なる温度の湯水を交互に出湯する温冷浴運転動作を開始する温冷スイッチとを備え、出湯スイッチを操作して吐出部からの出湯を開始すると、出力操作部で設定した出力となるように熱源の出力を調節して吐出部から湯水を出湯させるとともに、温冷スイッチを操作して温冷浴運転動作を開始すると、自動温度調節器で検知する温度が低設定温度以下であれば熱源への通電を開始し、高設定温度以上であれば熱源への通電を停止することにより、使用者がシャワー浴を行った場合に、異なる温度の湯水が交互に出湯する温冷浴を行うことができるので、シャワー浴を行っている最中の心拍数を低下させ、心臓の負担を軽減して快適性を向上させることができる。
【発明の効果】
【００１０】
本発明は、心臓への負担を軽減し、快適性の向上した給湯機を提供することができる。
【図面の簡単な説明】
【００１１】
【図１】本発明の実施の形態１における給湯機の正面外観図
【図２】同実施の形態１における要部外観図
【図３】同実施の形態１における給湯機の構成図
【図４】（ａ）同実施の形態１における温冷浴モードＯＦＦ時の熱源出力状態図（ｂ）同実施の形態１における温冷浴モードＯＮ時の熱源出力状態図
【図５】同実施の形態１におけるシャワー浴時の心拍数の変化図
【図６】同実施の形態１におけるシャワー浴時の心拍数の変化図
【図７】（ａ）同実施の形態１における温冷浴モードＯＦＦ時の平均心拍数を示した図（ｂ）同実施の形態１における温冷浴モードＯＮ時の平均心拍数を示した図
【図８】本発明の実施の形態２における給湯機の正面外観図
【図９】同実施の形態２における要部外観図
【図１０】同実施の形態２における給湯機の構成図
【図１１】同実施の形態２における温冷浴モードＯＦＦ時の状態図
【図１２】同実施の形態２における温冷浴モードＯＮ時の状態図
【図１３】本発明の実施の形態３における給湯機の正面外観図
【図１４】同実施の形態３における要部外観図
【図１５】同実施の形態３における温冷浴モードＯＮ時の状態図
【図１６】同実施の形態３におけるシャワー浴時の心拍数の変化図
【図１７】（ａ）同実施の形態３における温冷浴モードＯＦＦ時の平均心拍数を示した図（ｂ）同実施の形態３における温冷浴モードＯＮ時（温度差５℃）の平均心拍数を示した図（ｃ）同実施の形態３における温冷浴モードＯＮ時（温度差１１℃）の平均心拍数を示した図
【図１８】本発明の実施の形態４における給湯機の正面外観図
【図１９】同実施の形態４における要部外観図
【図２０】本発明の実施の形態５における給湯機の正面外観図
【図２１】同実施の形態５における要部外観図
【図２２】同実施の形態５における温冷浴モードＯＦＦ時の状態図
【図２３】同実施の形態５における要部外観図
【図２４】同実施の形態５における温冷浴モードＯＮ時の状態図
【図２５】本発明の実施の形態６における給湯機の構成図
【図２６】同実施の形態６における温冷浴モードＯＦＦ時の状態図
【図２７】同実施の形態６における温冷浴モードＯＮ時の状態図
【図２８】本発明の実施の形態７における給湯機の構成図
【図２９】本発明の実施の形態８における給湯機の構成図
【図３０】同実施の形態８における給湯機の他の構成図
【発明を実施するための形態】
【００１２】
第１の発明の給湯機は、湯水を加熱する熱源と、熱源の出力を調節する出力操作部と、熱源で加熱した温水を吐出する吐出部と、異なる温度の湯水を交互に出湯する運転動作を開始する温冷スイッチとを備えたことにより、使用者がシャワー浴を行った場合に、異なる温度の湯水が交互に出湯するシャワー浴を行うことができるので、シャワー浴を行っている最中の心拍数を低下させ、心臓の負担を軽減して快適性を向上させることができる。
【００１３】
第２の発明の給湯機は、特に第１の発明において、出力操作部で調節した出力で湯水を加熱して吐出部から湯水を出湯させる給湯機であって、温冷スイッチを操作して温冷浴運転動作を開始したときは、熱源の出力を第１の所定時間毎に変化させることにより、使用者は第１の所定時間毎に暖かい温度の湯水と低温度の湯水とを交互に浴びることができ、快適性を向上させることができる。
【００１４】
第３の発明の給湯機は、湯水を加熱する熱源と、熱源で加熱した温水の温度を検出する温度検出手段と、熱源から出湯する温度を調節する温度操作部と、熱源で加熱した温水を吐出する吐出部と、異なる温度の湯水を交互に出湯する運転動作を開始する温冷スイッチとを備えたことにより、使用者がシャワー浴を行った場合に、異なる温度の湯水が交互に出湯するシャワー浴を行うことができるので、シャワー浴を行っている最中の心拍数を低下させ、心臓の負担を軽減して快適性を向上させることができる。
【００１５】
第４の発明の給湯機は、特に第３の発明において、温度操作部で設定した温度となるように熱源の出力を調節して吐出部から湯水を出湯させる給湯機であって、温冷スイッチを操作して温冷浴運転動作を開始したときは、熱源の出力を第１の所定時間毎に変化させることにより、使用者は第１の所定時間毎に暖かい温度の湯水と低温度の湯水とを交互に浴びることができ、快適性を向上させることができる。
【００１６】
第５の発明の給湯機は、特に第３または第４の発明において、温冷浴モード時の低温側の温度を設定可能に構成したことにより、給水される湯水の温度が低すぎても、低温側の温度を設定することができるので、快適性を損なうことがない。
【００１７】
第６の発明の給湯機は、特に第１から第５のいずれかの発明において、第１の所定時間を変更する所定時間変更手段を備えたことにより、使用者の好みに応じて時間を設定することができ、使用性が向上する。
【００１８】
第７の発明の給湯機は、湯水を加熱する熱源と、熱源で加熱した温水の温度を検出する温度検出手段と、熱源から出湯する第１の所定温度を設定する温度操作部と、熱源で加熱した温水を吐出する吐出部と、吐出部からの出湯を開始する出湯スイッチと、吐出部へ供給される湯水の温度を検知して熱源への通電を制御する自動温度調節器と、異なる温度の湯水を交互に出湯する温冷浴運転動作を開始する温冷スイッチとを備え、出湯スイッチを操作して吐出部からの出湯を開始すると、温度検出手段で検出する温度が、温度操作部で設定した第１の所定温度となるように熱源の出力を調節して吐出部から湯水を出湯させるとともに、温冷スイッチを操作して温冷浴運転動作を開始すると、自動温度調節器で検知する温度が第２の所定温度以下であれば熱源への通電を開始し、第３の所定温度以上であれば熱源への通電を停止することにより、使用者がシャワー浴を行った場合に、異なる温
度の湯水が交互に出湯する温冷浴を行うことができるので、シャワー浴を行っている最中の心拍数を低下させ、心臓の負担を軽減して快適性を向上させることができる。
【００１９】
第８の発明の給湯機は、湯水を加熱する熱源と、熱源の出力を調節する出力操作部と、熱源で加熱した温水を吐出する吐出部と、吐出部からの出湯を開始する出湯スイッチと、吐出部へ供給される湯水の温度を検知して熱源への通電を制御する自動温度調節器と、異なる温度の湯水を交互に出湯する温冷浴運転動作を開始する温冷スイッチとを備え、出湯スイッチを操作して吐出部からの出湯を開始すると、出力操作部で設定した出力となるように熱源の出力を調節して吐出部から湯水を出湯させるとともに、温冷スイッチを操作して温冷浴運転動作を開始すると、自動温度調節器で検知する温度が低設定温度以下であれば熱源への通電を開始し、高設定温度以上であれば熱源への通電を停止することにより、使用者がシャワー浴を行った場合に、異なる温度の湯水が交互に出湯する温冷浴を行うことができるので、シャワー浴を行っている最中の心拍数を低下させ、心臓の負担を軽減して快適性を向上させることができる。
【００２０】
以下、本発明の実施の形態について、図面を参照しながら説明する。なお、この実施の形態によって本発明が限定されるものではない。
【００２１】
（実施の形態１）
図１は、実施の形態１における給湯機の外観正面図であり、図２は要部詳細図であり、図３は、本実施の形態１における給湯機の構成図である。まず図１〜図３を用いて、本実施の形態１における給湯機の外観構成について説明する。図１に示すように、本実施の形態における給湯機は、外郭を構成する筐体１と、筐体１内の給湯配管１４から外部に湯が出湯する給湯口２と、筐体１内の給水配管１５へ湯水を供給する給水口３とを有している。
【００２２】
そして給湯口２には給湯経路の一部を構成するシャワーホース４が接続され、シャワーホース４の端部には吐出部であるシャワーヘッド５を備えており、給湯機の使用時には、シャワーヘッド５から使用者へ向かって湯水が吐出される。
【００２３】
また、給水口３には給水量を調節する流量調節バルブ６が取り付けられ、給水源から入水管７を介して給水口３へ給水される給水量を調節する。通常、給湯機を設置した時に流量調節バルブ６を操作して給水量を設定するが、給湯機の使用時であっても、使用者が流量調節バルブ６を操作することで、給湯機への給水量を設定することができる。
【００２４】
また、筐体１の正面にはシャワーヘッド５からの温水の出湯を開始／停止するための出湯スイッチ８を有しており、給湯機の停止時から使用者が出湯スイッチ８を１度押すと、シャワーヘッド５から温水が吐出し、さらにもう一度出湯スイッチ８を押すと、シャワーヘッド５から吐出中の温水が停止する。
【００２５】
また、筐体１の内部には、給水口３から供給される低温水を加熱して温水を生成する熱源であるヒータ１３を有しており、使用者はヒータ１３の出力を直接変更することができる。そのため、筐体１の正面にはヒータ１３の出力を変更する出力操作部である熱源調整ボリューム９を有している。
【００２６】
さらに、図１および図２に示すように、ＯＮボタン１０ａおよびＯＦＦボタン１０ｂを備えた温冷スイッチ１０を有しており、さらにＯＮボタン１０ａを押した時に点灯する温冷ランプ１１を有している。つまり、温冷スイッチ１０がＯＮになっているときには、温冷ランプ１１が点灯することによって、使用者は温冷スイッチ１０がＯＮになっていることが分かる。
【００２７】
また、図３に示すように、筐体１の内部には、湯水を少量貯めるタンク１２と、湯水を加熱する熱源であるヒータ１３が配設されており、タンク１２の内部にヒータ１３を配置している。また、タンク１３で加熱された温水を給湯口２へ導くための給湯配管１４と、給水口３から低温水をタンク１３へ導くための給水配管１５とを有している。給水配管１５はタンクの底部に接続され、給湯配管１４の端部はタンク１２内に埋設され、タンク１２の上部の温水が供給されるようになっている。
【００２８】
そして、給水配管１５には供給される水量を検出するための流量検出手段である流量センサ１６と、給水配管１５の水流路の開閉を行う止水栓１７が設けられており、止水栓１７が開くとタンク１２へ給水され、止水栓１７が閉じるとタンク１２への給水が停止する。さらに、流量調節バルブ６を操作することによって給水口３へ供給される湯水の流量を調節する流量調節弁２３を筐体１の外部に設けている。
【００２９】
さらに、ヒータ１３の制御を行うために電子部品等で構成される電源制御装置１８が設けられ、電源制御装置１８はヒータ通電制御素子１９を介してヒータ１３の電力制御を行っている。また、熱源調整ボリューム９によって決定された出力となるようにヒータ１３の出力制御を行う電子部品等で構成される熱源制御装置２０、温冷スイッチ１０からの支持を受けてヒータ１３の制御を行う電子部品等で構成される温冷水制御装置２１が設けられている。
【００３０】
また、外部電源から各構成部品への電源供給を行う電源スイッチ２２が設けられており、出湯スイッチ８を操作することによって電源スイッチ２２のＯＮ・ＯＦＦを行う。なお、本実施の形態では、電源制御装置１８、熱源制御装置２０、温冷水制御装置２１と３つの制御装置を設けて説明するが、これらが一体的に構成された制御装置であっても問題はない。また、それぞれの制御装置はマイクロコンピュータおよびその周辺を構成する電子部品で構成されていてもよい。
【００３１】
以上のように構成された給湯機について、以下、その動作・作用について説明する。
【００３２】
本実施の形態の給湯機を使用する場合、まず、出湯スイッチ８を一度押す。出湯スイッチ８が押されると、止水栓１７が開栓するとともに、電源スイッチ２２がオンして各構成部品への電源供給が開始する。そして、止水栓１７が開栓した結果、給水口３へ給水が開始され、流量センサ１６で給水流量を検知し、流量センサ１６で所定流量（例えば、毎分１Ｌ）を検知すると、ヒータ通電制御素子（例えば、トライアック）１９を介して電源制御装置１８がヒータ１３の電力制御を行う。
【００３３】
図４は、シャワーヘッド５からの温水出湯と、ヒータ出力との関係を示した図であり、図４（ａ）は通常のシャワー浴時のヒータ出力状態図、図４（ｂ）は温冷スイッチがオンした温冷浴時のヒータ出力状態図である。なお、本実施の形態の給湯機において、使用時のヒータ１３の出力は、使用者が熱源調整ボリューム９で設定した値となっている。
【００３４】
まず、温冷スイッチ１０がＯＦＦの時のシャワー浴について説明する。本実施の形態の給湯機は、使用者が熱源調整ボリューム９を操作して、好みの温度になるようにヒータ１３の出力を調整するものである。そのため使用者はシャワーヘッド５から吐出される温水を直接触りながら、熱源調整ボリューム９を操作して温度調節を行う。つまり、シャワーヘッド５から吐出される温水を触って、熱すぎれば熱源調整ボリューム９でヒータ１３の出力を下げる方向に調整し、冷たすぎれば熱源調整ボリューム９でヒータ１３の出力を上げる方向に調整する。なお、熱源調整ボリューム９を下げる方向の最終点まで回すと、ヒータ１３の出力はゼロとなり、シャワーヘッド５からは加熱されていない湯水が出湯する
ことになる。
【００３５】
そこで、まず使用者は、出湯スイッチ８を押してシャワーヘッド５からの温水の吐出を開始する。この時、電源スイッチ２２もＯＮとなり、各制御装置等に電源が供給される。そして、流量センサ１６で所定流量を検出すると、ヒータ１３への通電を開始してタンク１２内の湯水を温め始める。なお、本実施の形態では、流量センサで毎分１Ｌの流量を検出すると、ヒータ１３への通電を開始しているが、所定流量はこれに限定されることはない。
【００３６】
そして使用者は、シャワーヘッド５から吐出される温水の温度を直接触れながら、熱源調整ボリューム９でヒータ１３の出力を調整する。なお、出湯スイッチ８を押してシャワーヘッド５から吐出された温水が適温であれば、熱源調整ボリューム９を操作する必要はない。
【００３７】
図４（ａ）に示すように、温冷スイッチ１０がＯＦＦしている時は、出湯スイッチ８を押してシャワーヘッド５からの出湯を開始しても、ヒータ１３の出力は設定した値で固定されて温水が出湯し、再度、出湯スイッチ８を押してシャワーヘッド５からの出湯を停止すると、ヒータ１３からの出力も停止し、使用者はシャワー浴を終了する。
【００３８】
次に、温冷スイッチ１０がオンの時の温冷浴モードでのシャワー浴について説明する。なお、本実施の形態の温冷浴モードとは、シャワーヘッド５から湯水が出湯中に、ヒータ１３の出力が異なる２つの値に所定時間毎に変化するモードであり、これによって、使用者は異なる温度の湯水を所定時間毎に浴びることができるものである。
【００３９】
図４（ｂ）は、温冷スイッチ１０のＯＮボタン１０ａを押した時のヒータ１３の出力状態図である。図４（ｂ）に示すように、まず出湯スイッチ８を押して、シャワーヘッド５からの出湯を開始する。そして、熱源調整ボリューム９を操作することによって、ヒータ１３の出力を調節し、シャワーヘッド５から吐出する温水の温度を適温に設定する。この時、まだＯＮボタン１０ａは押されていないので、常にヒータ１３の出力は、熱源調整ボリューム９で設定した値となるように維持される。
【００４０】
次に、シャワーヘッド５からの出湯を継続した状態でＯＮボタン１０ａを押す。ＯＮボタン１０ａを押すと、温冷浴モードに移行し、温冷ランプ１１が点灯する。そして温冷水制御装置２１は、ＯＮボタン１０ａが押されてから所定時間をカウントし始め、第１の所定時間である所定時間αが経過した時にヒータ１３の出力をゼロに設定する（ヒータ１３への通電を停止する）。
【００４１】
そしてヒータ１３への通電を停止してから、温冷制御装置２１は所定時間をカウントし始め、再度、所定時間αが経過した時にヒータ１３への通電を開始し、熱源調整ボリューム９で設定したヒータ出力とする。そして、ヒータ１３への通電を再開したら、再度、所定時間αをカウントし始めて、上記動作を繰り返す。なお、本実施の形態では、所定時間αに３０秒を設定しており、３０秒ごとに高温水と低温水とを交互に浴びることができる。
【００４２】
図５は、温冷スイッチ１０をＯＦＦしている時の連続浴と、温冷スイッチ１０をＯＮしている時の温冷浴のそれぞれの心拍数の状態を示した図である。図５で示す実験では、１０分間のシャワー浴を行い、シャワー浴中の心拍数の測定を行った。なお、図５に示す折れ線グラフＰは連続浴（温冷スイッチ１０がＯＦＦ）時の心拍数の変化を示し、折れ線グラフＱは温冷浴（温冷スイッチ１０がＯＮ）時の心拍数の変化を示している。
【００４３】
そして連続浴時には、シャワーの温度は３８℃とし１０分間シャワー浴を行い、温冷浴時には、シャワーの高温側の温度は３８℃、低温側の温度は２５℃として、３０秒間隔で３８℃の湯水と２５℃の湯水を交互にシャワーヘッド５から出湯させて１０分間シャワー浴を行った。その結果、連続浴時の平均心拍数は９２ｂｐｍであったのに対し、温冷浴時の平均心拍数は８０ｂｐｍであった。
【００４４】
また、図６は、温冷スイッチ１０をＯＦＦにしている時の連続浴と、温冷スイッチ１０をＯＮにしている時の温冷浴のそれぞれの心拍数の状態を示した図である。また、図７（ａ）（ｂ）は連続浴時および温冷浴モード時の平均心拍数を示した図である。図６および図７に示す実験では、温冷スイッチ１０がＯＦＦの時と、ＯＮの時の健康な男性による心拍数の変化を測定した。具体的には、始めに５分間の運動を行い、その後、１分間の休憩を挟んで、１０分間のシャワー浴を行うという一連の行動について心拍数の測定を行った。なお、図６に示す折れ線グラフＸは連続浴時の心拍数の変化を示し、折れ線グラフＹは温冷浴時の心拍数の変化を示している。
【００４５】
図６、図７（ａ）（ｂ）に示すように、連続浴および温冷浴ともに運動時の平均心拍数は、１４０ｂｐｍであった。そして、運動後、１分間の休憩の後、１０分間のシャワー浴を行った。その結果、温冷スイッチ１０がＯＦＦの時の連続浴時（シャワー温度は３８℃）は、平均心拍数が１１５ｂｐｍであったのに対して、温冷スイッチ１０がＯＮの時の温冷浴モード時は、平均心拍数９８となり、連続浴時に比べて心拍数が低下していることが分かる。なお、温冷浴モード時の高温側の温度は３８℃、低温側の温度は２５℃、所定時間αは３０秒として心拍数の測定をおこなっている。
【００４６】
このように、本実施の形態では、ヒータ１３への通電を所定時間α毎にＯＮ／ＯＦＦすることによって、使用者は、高温水と低温水とを交互に定期的に浴びることができ、非常に健康に良い。また、図５〜図７に示すように、温冷浴を行うことによって、平均心拍数を下げることができるため、使用者の心臓の負担を軽減し、快適なシャワー浴を行うことができ、心拍数が低いということは疲労回復にも効果がある。
【００４７】
また、所定時間毎にヒータ１３への通電を停止するので、消費電力を削減することができ、ヒータ１３への通電を停止した時間分だけ消費電力を削減することができる。
【００４８】
（実施の形態２）
図８は、実施の形態２における給湯機の外観正面図であり、図９は要部外観図である。また、図１０は実施の形態２における給湯機の構成図である。なお、実施の形態１と同じ部位については、実施の形態１と同じ符号を付してその説明を省略する。実施の形態１と異なるところは、実施の形態１がヒータ１３の出力を直接調節したのに対して、実施の形態２では、出湯温度を調節してヒータ１３の出力を調節している。
【００４９】
図８〜図１０に示すように、本実施の形態では、シャワーヘッド５から出てくる温水の温度を調節する温度操作部である温度ボリューム３０と、ヒータ１３で加熱した湯の温度を検出する温度検出手段である温度センサ３１とを備えている。そしてシャワー浴時には、使用者は温度ボリューム３０を操作することによって温度ＴＨを設定し、温度センサ３１で検出する温度が設定した温度ＴＨとなるようにヒータ１３の出力が調節される。また、温度センサ３１はタンク１２内に配設され、給湯配管１４に供給する湯水の温度を検出している。
【００５０】
以上のように構成された給湯機について、以下、その動作・作用について説明する。
【００５１】
本実施の形態の給湯機を使用する場合、まず、出湯スイッチ８を一度押す。出湯スイッ
チ８が押されると、止水栓１７が開栓するとともに、電源スイッチ２２がオンして各構成部品への電源供給が開始する。そして、止水栓１７が開栓した結果、給水口３へ給水が開始され、流量センサ１６で給水流量を検知し、流量センサ１６で所定流量（例えば、毎分１Ｌ）を検知すると、ヒータ通電制御素子（例えば、トライアック）１９を介して電源制御装置１８がヒータ１３の電力制御を行う。
【００５２】
図１１は、温冷スイッチ１０がＯＦＦの時の温度センサ３１で検出する温度の状態図である。まず、温冷スイッチ１０がＯＦＦの時のシャワー浴について説明する。本実施の形態の給湯機は、使用者が温度ボリューム３０を操作して、好みの温度に設定する。そして温度センサ３１で検出する温度が、温度ボリューム３０で設定した温度ＴＨとなるようにヒータ１３の出力を調整するものである。
【００５３】
そこで、まず使用者は、出湯スイッチ８を押してシャワーヘッド５からの温水の吐出を開始する。この時、電源スイッチ２２もＯＮとなり、各制御装置等に電源が供給される。そして、流量センサ１６で所定流量を検出すると、ヒータ１３への通電を開始してタンク１２内の湯水を温め始める。なお、本実施の形態では、流量センサで毎分１Ｌの流量を検出すると、ヒータ１３への通電を開始しているが、所定流量はこれに限定されることはない。
【００５４】
そして使用者は、温度ボリューム３０を操作して温度を設定する。その結果、図１１に示すように、出湯スイッチ８を押してシャワーヘッド５からの出湯を開始しても、温冷スイッチ１０がＯＦＦしている時は、温度センサ３１で検出する温度が、温度ボリューム３０で設定された設定温度ＴＨとなるようにヒータ１３の出力が調節される。
【００５５】
そして、再度、使用者が出湯スイッチ８を押してシャワーヘッド５からの出湯を停止すると、ヒータ１３からの出力も停止し、使用者はシャワー浴を終了する。
【００５６】
次に、温冷スイッチ１０がオンの時のシャワー浴について説明する。図１２は、温冷スイッチ１０がＯＮの時の温度センサ３１で検出する温度の状態図である。
【００５７】
まず、出湯スイッチ８を押して、シャワーヘッド５からの出湯を開始する。そして、温度ボリューム３０を操作することによって設定温度ＴＨを調節し、シャワーヘッド５から吐出する温水の温度を適温に設定する。
【００５８】
次に、出湯スイッチ８を押した後に、温冷スイッチ１０のＯＮボタン１０ａを押す。ＯＮボタン１０ａを押すと、温冷浴モードに移行し、温冷ランプ１１が点灯する。そして温冷水制御装置２１は、ＯＮボタン１０ａが押されてから所定時間をカウントし始め、ＯＮボタン１０ａが押されてから第１の所定時間である所定時間αの間は、温度センサ３１で検出される温度が設定温度ＴＨとなるように、ヒータ１３の出力が調節される。
【００５９】
そして、所定時間αが経過すると、ヒータ１３の出力をゼロに設定する（ヒータ１３への通電を停止する）。その結果、温度センサ３１で検出される温度は徐々に低下し、給水配管１５を通して供給される湯水の給水温度となる。
【００６０】
そしてヒータ１３への通電を停止してから、温冷制御装置２１は所定時間をカウントし始め、再度、所定時間αが経過した時にヒータ１３への通電を開始し、温度センサ３１で検出する温度が、温度ボリューム３０で設定した設定温度ＴＨとなるようにヒータ１３の出力が調節される。そして、ヒータ１３への通電を再開したら、再度、所定時間αをカウントし始めて、上記動作を繰り返す。なお、本実施の形態では、所定時間αに３０秒を設定しており、３０秒ごとに高温水と低温水とを交互に浴びることができる。
【００６１】
このように、本実施の形態では、ヒータ１３への通電を所定時間α毎にＯＮ／ＯＦＦすることによって、使用者は、高温水と低温水とを交互に定期的に浴びることができ、非常に健康に良い。また、温冷浴を行うことによって、平均心拍数を下げることができるため、使用者の心臓の負担を軽減し、快適なシャワー浴を行うことができる。
【００６２】
また、所定時間毎にヒータ１３への通電を停止するので、消費電力を削減することができ、ヒータ１３への通電を停止した時間分だけ消費電力を削減することができる。
【００６３】
（実施の形態３）
図１３は、実施の形態３の給湯機の正面外観図であり、図１４は要部外観図である。なお、実施の形態１および実施の形態２と同じ部位については、同じ符号を付してその説明を省略する。また、給湯機の構成は実施の形態２と同じであり、図１０に示す。実施の形態２と異なる箇所は、温冷浴モード時の低温側の温度を設定できる低温設定手段である低温設定ボリューム４０を設けたことである。
【００６４】
実施の形態１および実施の形態２では、温冷浴モードの低温は、ヒータ１３の出力を停止することによって、シャワーヘッド５から給水された湯水を加熱することなく、そのまま出湯していた。
【００６５】
しかしながら、給水された湯水の温度があまりにも低すぎた場合には、シャワーヘッド５から吐出される湯水の温度も低すぎるため、使用者によっては、冷たすぎて不快感を感じてしまう場合がある。そこで、本実施の形態では、温冷浴モードの低温側の温度も設定できるようにして、使用者の快適性を向上させている。
【００６６】
以上のように構成された給湯機について、以下、その動作・作用を説明する。また、温冷スイッチ１０がＯＦＦの時のシャワー浴については、実施の形態２と同じであるため、説明は省略する。以下、本実施の形態３の温冷スイッチ１０がオンの時のシャワー浴について説明する。図１５は、温冷スイッチ１０がＯＮの時の温度センサ３１で検出する温度の状態図である。
【００６７】
まず、出湯スイッチ８を押して、シャワーヘッド５からの出湯を開始する。そして、温度ボリューム３０を操作することによって設定温度を調節し、シャワーヘッド５から吐出する温水の温度を適温に設定する。そして、出湯スイッチ８を押した後に、温冷スイッチ１０のＯＮボタン１０ａを押す。ＯＮボタン１０ａを押すと、温冷浴モードに移行し、温冷ランプ１１が点灯する。
【００６８】
次に、使用者は温冷浴モードの低温側の温度ＴＬを設定するために、低温設定ボリューム４０を操作する。低温設定ボリューム４０は、温度ボリューム３０で設定した温度ＴＨとの差Ｔ１を設定することができるものである。つまり、低温設定ボリューム４０を操作することによって、温度ボリューム３０で設定した設定温度ＴＨとの差Ｔ１を設定し、温度ボリューム３０で設定した温度ＴＨから、低温設定ボリューム４０で設定した温度Ｔ１を差し引いた温度を、温冷浴モード時の低温側の温度ＴＬと設定することができる。このように本実施の形態では、ＴＬ＝ＴＨ−Ｔ１という関係式を有する。
【００６９】
例えば、温度ボリューム３０で設定温度を４２℃に設定し、低温設定ボリューム４０で５℃と設定すると、温冷浴時にシャワーヘッド５から出湯する湯水の温度は、高温側が４２℃、低温側が３７℃（＝４２℃−５℃）となり、所定時間毎に変化する。
【００７０】
そして温冷水制御装置２１は、ＯＮボタン１０ａが押されてから所定時間をカウントし
始め、ＯＮボタン１０ａが押されてから第１の所定時間である所定時間αの間は、温度センサ３１で検出される温度が設定温度となるように、ヒータ１３の出力が調節される。
【００７１】
そして、所定時間αが経過すると、温度センサ３１で検出される温度が、温度ボリューム３０で設定した設定温度から低温設定ボリューム４０で設定した温度を差し引いた温度となるようにヒータ１３の出力が調節される。その結果、温度センサ３１で検出される温度は徐々に低下し、温度センサ３１で検出する温度が、設定した低温温度となるようにヒータ１３の出力が調節される。
【００７２】
そしてヒータ１３への通電を停止してから、温冷制御装置２１は所定時間をカウントし始め、再度、所定時間αが経過した時にヒータ１３への通電を開始し、温度センサ３１で検出する温度が、温度ボリューム３０で設定した温度となるようにヒータ１３の出力が調節される。そして、ヒータ１３への通電を再開したら、再度、所定時間αをカウントし始めて、上記動作を繰り返す。なお、本実施の形態では、所定時間αに３０秒を設定しており、３０秒ごとに高温水と低温水とを交互に浴びることができる。
【００７３】
なお、低温設定ボリューム４０で設定できる温度は、３℃以上で設定できる方が好ましい。これは、高温側と低温側の温度差が大きいほど、心拍数の低下を確認することができるからである。
【００７４】
図１６は、温冷スイッチ１０をＯＦＦにしている時の連続浴と、温冷スイッチ１０をＯＮにしている時の温冷浴のそれぞれの心拍数の状態を示した図である。なお、図１６に示す折れ線グラフＡは連続浴時の心拍数の変化を示し、折れ線グラフＢは温冷浴モード時の心拍数であって高温側と低温側の温度差が５℃の時の変化を示し、折れ線グラフＣは温冷浴モード時の心拍数であって高温側と低温側の温度差が１１℃の時の変化を示している。
【００７５】
また、図１７（ａ）（ｂ）（ｃ）は連続浴時および温冷浴モード時の平均心拍数を示した図である。本実施の形態では、温冷スイッチ１０がＯＦＦの時と、ＯＮの時の健康な男性による心拍数の変化を測定した。具体的には、始めに５分間の運動を行い、その後、１分間の休憩を挟んで、１０分間のシャワー浴を行うという一連の行動について心拍数の測定を行った。
【００７６】
図１６、図１７（ａ）（ｂ）（ｃ）に示すように、連続浴時および温冷浴時ともに運動時の平均心拍数は、１４０ｂｐｍであった。そして、５分間の運動後、１分間の休憩の後、１０分間のシャワー浴を行った。その結果、温冷スイッチ１０がＯＦＦの時の連続浴時（シャワー温度は４０℃）は、平均心拍数が１１７ｂｐｍであった。
【００７７】
一方、温冷スイッチ１０がＯＮの時であって、高温側のシャワー温度が４０℃、低温側のシャワー温度が３５℃の時の平均心拍数は１１０ｂｐｍとなり、高温側のシャワー温度が４０℃、低温側のシャワー温度が２９℃の時の平均心拍数は１０１ｂｐｍとなった。このように、温冷浴モード時の平均心拍数は、連続浴時の平均心拍数に比べて低下していることが分かる。なお、温冷浴モード時の所定時間αは３０秒として心拍数の測定をおこなっている。
【００７８】
さらに、高温側のシャワー温度と低温側のシャワー温度との差が５℃（＝４０℃−３５℃）の時よりも、高温側のシャワー温度と低温側のシャワー温度との差が１１℃（＝４０℃−２９℃）の時の平均心拍数の方が低くなっていることが分かる。
【００７９】
このように、図１６から高温側と低温側の温度差が大きい程、平均心拍数が低くなっていることが分かるが、あまりにも低温側が低すぎると、使用者によっては不快感を感じて
しまうので、本実施の形態のように、使用者が高温側のシャワー温度と低温側のシャワー温度との差を設定可能に構成することによって、使用者の好みに合わせた給湯機を提供することができる。
【００８０】
このように、本実施の形態では、ヒータ１３への通電を所定時間α毎にＯＮ／ＯＦＦすることによって、使用者は、高温水と低温水とを交互に定期的に浴びることができ、非常に健康に良い。また、図１６、図１７に示すように、温冷浴を行うことによって、平均心拍数を下げることができるため、使用者の心臓の負担を軽減し、快適なシャワー浴を行うことができる。
【００８１】
また、所定時間毎にヒータ１３への通電を停止するので、消費電力を削減することができ、ヒータ１３への通電を停止した時間分だけ消費電力を削減することができる。
【００８２】
さらに、温冷浴モードの高温側と低温側の両方の温度を設定することができるので、使用者に合わせて設定することができ、誰が使用しても快適な給湯機を提供することができる。
【００８３】
（実施の形態４）
図１８は、実施の形態４の給湯機の正面外観図であり、図１９は要部外観図である。なお、実施の形態１〜実施の形態３と同じ部位については、同じ符号を付してその説明を省略する。また、給湯機の構成は実施の形態２と同じであり、図１０に示す。他の実施の形態と異なる箇所は、第１の所定時間である所定時間αを変更可能に構成したことである。つまり、図１８および図１９に示すように、本実施の形態４の給湯機には、所定時間αを設定できる第１所定時間設定手段である時間設定ボリューム５０を設けたことである。
【００８４】
実施の形態１〜実施の形態３では、所定時間αを３０秒としていた。つまり所定時間α毎に高温の湯水と低温の湯水とが交互にシャワーヘッド５から出湯するものであった。しかしながら、所定時間αを固定とした場合に、使用者によっては予め設定された所定時間αが長いと感じる人もいれば、短いと感じる人もいるため、人によっては不快に感じてしまうことがある。そこで、本実施の形態４では、所定温度αを設定可能に構成して、使用者の快適性および使用性を向上させている。
【００８５】
以上のように構成された給湯機について、以下、その動作・作用を説明する。また、温冷スイッチ１０がＯＦＦの時のシャワー浴については、実施の形態２と同じであるため、説明は省略する。以下、本実施の形態３の温冷スイッチ１０がオンの時のシャワー浴について説明する。
【００８６】
まず、出湯スイッチ８を押して、シャワーヘッド５からの出湯を開始する。そして、温度ボリューム３０を操作することによって設定温度を調節し、シャワーヘッド５から吐出する温水の温度を適温に設定する。そして、出湯スイッチ８を押した後に、温冷スイッチ１０のＯＮボタン１０ａを押す。ＯＮボタン１０ａを押すと、温冷浴モードに移行し、温冷ランプ１１が点灯する。
【００８７】
次に、使用者は温冷浴モードの低温側の温度ＴＬを設定するために、低温設定ボリューム４０を操作する。低温設定ボリューム４０は、温度ボリューム３０で設定した温度ＴＨとの差Ｔ１を設定することができるものである。つまり、低温設定ボリューム４０を操作することによって、温度ボリューム３０で設定した設定温度ＴＨとの差Ｔ１を設定し、温度ボリューム３０で設定した温度ＴＨから、低温設定ボリューム４０で設定した温度Ｔ１を差し引いた温度を、温冷浴モード時の低温側の温度ＴＬと設定することができる。つまり、ＴＬ＝ＴＨ−Ｔ１という関係式を有する。
【００８８】
次に、使用者は時間設定ボリューム５０を操作して、温冷浴モードの高温側と低温側との切り替えるタイミングを設定する。つまり、時間設定ボリューム５０で所定時間αを３０秒に設定すると、３０秒毎に高温と低温とを切り替え、４０秒を設定すると、４０秒ごとに高温と低温とを切り替える制御となる。
【００８９】
そして温冷水制御装置２１は、ＯＮボタン１０ａが押されてから所定時間をカウントし始め、ＯＮボタン１０ａが押されてから第１の所定時間である所定時間αの間は、温度センサ３１で検出される温度が設定温度となるように、ヒータ１３の出力が調節される。
【００９０】
そして、所定時間αが経過すると、温度センサ３１で検出される温度が、温度ボリューム３０で設定した設定温度から低温設定ボリューム４０で設定した温度を差し引いた温度となるようにヒータ１３の出力が調節される。その結果、温度センサ３１で検出される温度は徐々に低下し、温度センサ３１で検出する温度が設定した低温温度となるようにヒータ１３の出力が調節される。
【００９１】
そしてヒータ１３への通電を停止してから、温冷制御装置２１は所定時間をカウントし始め、再度、所定時間αが経過した時にヒータ１３への通電を開始し、温度センサ３１で検出する温度が、温度ボリューム３０で設定した温度となるようにヒータ１３の出力が調節される。そして、ヒータ１３への通電を再開したら、再度、所定時間αをカウントし始めて、上記動作を繰り返す。
【００９２】
なお、本実施の形態４では、シャワーヘッド５から出湯する湯水の温度を変更する給湯機で説明したが、実施の形態１で示したように出力を直接変更するタイプの給湯機であっても、本実施の形態４のように時間設定ボリューム５０を設けることで、所定時間αを変更することができる。
【００９３】
（実施の形態５）
図２０は、実施の形態５の給湯機の正面外観図であり、図２１は要部外観図である。また、給湯機の構成は実施の形態２と同じであり、図１０に示す。なお、実施の形態１〜実施の形態４と同じ部位については、同じ符号を付してその説明を省略する。本実施の形態５の給湯機は、給湯機の運転情報を表示する表示手段である表示部５１を有しており、液晶等で構成されている。また、給湯機を操作するための運転操作手段である操作部５２を有している。
【００９４】
本実施の形態５では、高温側の温度と低温側の温度の両方を設定できるとともに、使用者が温冷浴を行う時の高温側の温度の湯水の出湯時間と、低温側の温度の湯水の出湯時間の両方を設定できるものである。
【００９５】
以上のように構成された給湯機について、以下、その動作・作用を説明する。
【００９６】
本実施の形態５の湯水の温度設定は、高温側の温度と低温側の温度の２つを設定できるようになっている。図２１に示すように、操作部５２を操作することによって、表示部５１に温度設定画面を表示する。そして、操作部５２を操作して、高温側の湯水の温度Ｔｘと低温側の湯水の温度Ｔｙとを設定する。図２１では、高温側の湯水の温度を４２℃に設定し、低温側の湯水の温度を３５℃に設定している。
【００９７】
次に、温冷スイッチ１０がＯＦＦの時の運転について説明する。温冷スイッチ１０がＯＦＦの時には、温度センサ３１で検出する温度が、操作部５２で設定した高温側の湯水の温度Ｔｘとなるようにヒータ１３の出力が調節されてシャワーヘッド５から温水が出湯す
る。
【００９８】
図２２は、温冷スイッチ１０がＯＦＦの時の温度センサ３１で検出する温度の状態図である。本実施の形態の給湯機は、使用者が操作部５２を操作して、好みの温度（高温側の湯水の温度Ｔｘ）を設定する。そして温度センサ３１で検出する温度が、高温側の湯水の温度Ｔｘとなるようにヒータ１３の出力を調整する。
【００９９】
まず、使用者は、出湯スイッチ８を押してシャワーヘッド５からの温水の吐出を開始する。この時、電源スイッチ２２もＯＮとなり、各制御装置等に電源が供給される。そして、流量センサ１６で所定流量を検出すると、ヒータ１３への通電を開始してタンク１２内の湯水を温め始める。なお、本実施の形態では、流量センサで毎分１Ｌの流量を検出すると、ヒータ１３への通電を開始しているが、所定流量はこれに限定されることはない。
【０１００】
そして使用者は、操作部５２を操作して高温側の湯水の温度Ｔｘを設定する。その結果、図２２に示すように、出湯スイッチ８を押してシャワーヘッド５からの出湯を開始しても、温冷スイッチ１０がＯＦＦしている時は、温度センサ３１で検出する温度が、操作部５２で設定された高温側の湯水の温度Ｔｘとなるようにヒータ１３の出力が調節される。
【０１０１】
そして、再度、使用者が出湯スイッチ８を押してシャワーヘッド５からの出湯を停止すると、ヒータ１３からの出力も停止し、使用者はシャワー浴を終了する。
【０１０２】
次に、温冷スイッチ１０がＯＮの時のシャワー浴について説明する。実施の形態１〜４では所定時間α毎に異なる温度の湯水をシャワーヘッド５から出湯させていたが、本実施の形態では、高温側の湯水の出湯時間βと低温側の湯水の出湯時間γの２つの出湯時間を設定できる。
【０１０３】
図２３は、本実施の形態の給湯機の要部外観図である。図２３に示すように、操作部５２を操作することによって、表示部５１に時間設定画面を表示する。そして、操作部５２を操作して、高温側の湯水の出湯時間βと低温側の湯水の出湯時間γとを設定する。図２３では、高温側の湯水の出湯時間を３０秒に設定し、低温側の湯水の出湯時間を３０秒に設定している。このように両方を設定することができるため、使用者の好みに合わせて出湯時間を設定でき、多種多様な要求に使用を合わせることができる。
【０１０４】
また、図２４は、温冷スイッチ１０がＯＮの時の温度センサ３１で検出する温度の状態図である。
【０１０５】
まず、出湯スイッチ８を押して、シャワーヘッド５からの出湯を開始する。そして、操作部５２を操作することによって、高温側の湯水の温度Ｔｘおよび低温側の湯水の温度Ｔｙを設定し、さらに、高温側の湯水の出湯時間βと低温側の湯水の出湯時間γとを設定する。温冷スイッチ１０のＯＮボタン１０ａを押す前は、シャワーヘッド５からは、設定温度Ｔｘの湯水が出湯されている。
【０１０６】
次に、温冷スイッチ１０のＯＮボタン１０ａを押す。ＯＮボタン１０ａを押すと、温冷浴モードに移行し、温冷ランプ１１が点灯する。そして温冷水制御装置２１は、ＯＮボタン１０ａが押されてから所定時間をカウントし始め、ＯＮボタン１０ａが押されてから第１の所定時間である所定時間βの間は、温度センサ３１で検出される温度が設定温度Ｔｘとなるように、ヒータ１３の出力が調節される。
【０１０７】
そして、所定時間βが経過すると、温度センサ３１で検出される温度が設定温度Ｔｙとなるように、ヒータ１３の出力が調節される。そしてヒータ１３の出力を変更してから、
温冷制御装置２１は所定時間をカウントし始め、所定時間γが経過するまでは、設定温度Ｔｙとなるようにヒータ１３の出力が調節される。そして、所定時間γが経過すると、再度、温度センサ３１で検出される温度が設定温度Ｔｘとなるようにヒータ１３の出力が調節され、所定時間βをカウント始め、それ以降は上記動作を繰り返す。
【０１０８】
このように、本実施の形態では、ヒータ１３の出力を、所定時間βおよび所定時間γ毎に切り替えるため、使用者は、高温水と低温水とを交互に定期的に浴びることができ、非常に健康に良い。また、温冷浴を行うことによって、平均心拍数を下げることができるため、使用者の心臓の負担を軽減し、快適なシャワー浴を行うことができる。
【０１０９】
また、所定時間毎にヒータ１３の出力を変更するので、消費電力を削減することができ、ヒータ１３への通電を停止した時間分だけ消費電力を削減することができる。
【０１１０】
さらに、高温側の湯水の出湯時間βと低温側の湯水の出湯時間γとを使用者の好みに合わせて設定することができるので、使用性を向上させることができる。
【０１１１】
（実施の形態６）
図２５は、実施の形態６の給湯機の構成図である。また、本実施の形態の給湯機の正面外観図は、実施の形態２と同じであるため、図８、図９を用いて説明する。なお、実施の形態１〜実施の形態５と同じ部位については、同じ符号を付してその説明を省略する。本実施の形態６の給湯機は、給湯配管１４に自動温度調節器であるサーモスタット６０を設け、さらにヒータ１３への通電のＯＮ・ＯＦＦを行う通電スイッチ６１を有している。サーモスタット６０は、第２の所定の温度を検出すればサーモスタット６０内に設けられたスイッチ６０ａがＯＮし、第３の所定の温度を検出すればサーモスタット６０内に設けられたスイッチ６０ａがＯＦＦするものであり、通電スイッチ６１とスイッチ６０ａとが並列に設けられている。
【０１１２】
以上のように構成された給湯機について、以下、その動作・作用について説明する。
【０１１３】
本実施の形態の給湯機を使用する場合、まず、出湯スイッチ８を一度押す。出湯スイッチ８が押されると、止水栓１７が開栓するとともに、電源スイッチ２２および通電スイッチ６１がオンして各構成部品への電源供給が開始する。そして、止水栓１７が開栓した結果、給水口３へ給水が開始され、流量センサ１６で給水流量を検知し、流量センサ１６で所定流量（例えば、毎分１Ｌ）を検知すると、ヒータ通電制御素子（例えば、トライアック）１９を介して電源制御装置１８がヒータ１３の電力制御を行う。
【０１１４】
図２６は、温冷スイッチ１０がＯＦＦの時の温度センサ３１で検出する温度の状態図である。まず、温冷スイッチ１０がＯＦＦの時のシャワー浴について説明する。本実施の形態の給湯機は、使用者が温度ボリューム３０を操作して、好みの温度（第１の所定温度Ｔａ）を設定する。そして温度センサ３１で検出する温度が、温度ボリューム３０で設定した第１の所定温度Ｔａとなるようにヒータ１３の出力を調整するものである。
【０１１５】
そこで、まず使用者は、出湯スイッチ８を押してシャワーヘッド５からの温水の吐出を開始する。この時、電源スイッチ２２もＯＮとなり、各制御装置等に電源が供給される。そして、流量センサ１６で所定流量を検出すると、ヒータ１３への通電を開始してタンク１２内の湯水を温め始める。なお、本実施の形態では、流量センサで毎分１Ｌの流量を検出すると、ヒータ１３への通電を開始しているが、所定流量はこれに限定されることはない。
【０１１６】
そして使用者は、温度ボリューム３０を操作して第１の所定温度Ｔａを設定する。その
結果、図２６に示すように、出湯スイッチ８を押してシャワーヘッド５からの出湯を開始しても、温冷スイッチ１０がＯＦＦしている時は、温度センサ３１で検出する温度が、温度ボリューム３０で設定された第１の所定温度Ｔａとなるようにヒータ１３の出力が調節される。
【０１１７】
そして、再度、使用者が出湯スイッチ８を押してシャワーヘッド５からの出湯を停止すると、ヒータ１３からの出力も停止し、使用者はシャワー浴を終了する。
【０１１８】
次に、温冷スイッチ１０がオンの時のシャワー浴について説明する。図２７は、温冷スイッチ１０がＯＮの時のサーモスタット６０で検知する温度の状態図である。
【０１１９】
まず、出湯スイッチ８を押して、シャワーヘッド５からの出湯を開始する。そして、温度ボリューム３０を操作することによって第１の所定温度Ｔａを調節し、シャワーヘッド５から吐出する温水の温度を設定する。
【０１２０】
次に、出湯スイッチ８を押した後に、温冷スイッチ１０のＯＮボタン１０ａを押す。ＯＮボタン１０ａを押すと、通電スイッチ６１がＯＦＦとなり、温冷浴モードに移行し、温冷ランプ１１が点灯する。温冷浴モードに移行すると、ヒータ１３への通電はサーモスタット６０内に設けられたスイッチ６０ａで制御することになる。
【０１２１】
サーモスタット６０では、第２の所定温度Ｔｂ（低温側）と第３の所定温度Ｔｃ（高温側）でスイッチ６０ａをＯＮ・ＯＦＦする特性を持っており、第２の所定温度Ｔｂを検知すればスイッチ６０ａをＯＮし、第３の所定温度Ｔｃを検知すればスイッチ６０ａをＯＦＦしている。つまり、本実施の形態６の場合、給湯配管１４を流れる湯水の温度をサーモスタット６０で検知してヒータ１３の通電をＯＮ・ＯＦＦしている。
【０１２２】
そして、図２７に示すように、温冷浴モードに移行すると、サーモスタット６０で給湯配管１４内を流れる湯水の温度を検知した結果、第３の所定温度Ｔｃを超えていれば、スイッチ６０ａがＯＦＦとなり、ヒータ１３の通電を停止する。その結果、給湯配管１４内を流れる湯水の温度が徐々に低下し、第２の所定温度Ｔｂまで低下する。
【０１２３】
次に、給湯配管１４内を流れる湯水の温度が徐々に低下し、サーモスタット６０で第２の所定温度Ｔｂを検知すると、スイッチ６０ａがＯＮとなる。スイッチ６０ａがＯＮとなると、ヒータ１３への通電が開始され、給湯配管１４内を流れる湯水の温度は上昇し始める。
【０１２４】
そして、ヒータ１３への通電が開始され、給湯配管１４内を流れる湯水の温度が徐々に上昇し、サーモスタット６０で第３の所定温度Ｔｃを検知すると、スイッチ６０ａがＯＦＦとなり、ヒータ１３の通電を停止する。その結果、給湯配管１４内を流れる湯水の温度が徐々に低下し、第２の所定温度Ｔｂまで低下する。これを繰り返すことによって、シャワーヘッド５から出湯する湯水の温度を上下に変化することが出来る。
【０１２５】
また、シャワーヘッド５から湯水を出湯させている途中で、ＯＦＦボタン１０ｂを押すことで温冷浴を終了することができ、通電スイッチ６１がＯＮして通常のシャワー浴となる。
【０１２６】
なお、第２の所定温度Ｔｂと第３の所定温度Ｔｃとの差は、３℃以上の温度差を有していることが望ましい。これは、温度差が大きいほど心拍数を低下させる効果が大きく、例えば、第２の所定温度Ｔｂに３０℃、第３の所定温度Ｔｃに３５℃と予め設定されていると、温冷浴では５℃差の温水を交互に浴びることができる。
【０１２７】
このように、本実施の形態では、ヒータ１３への通電をサーモスタット６０で検知する温度によってＯＮ／ＯＦＦすることで、使用者は、高温水と低温水とを交互に定期的に浴びることができ、非常に健康に良い。また、温冷浴を行うことによって、平均心拍数を下げることができるため、使用者の心臓の負担を軽減し、快適なシャワー浴を行うことができる。
【０１２８】
また、所定時間毎にヒータ１３の出力を変更するので、消費電力を削減することができ、ヒータ１３への通電を停止した時間分だけ消費電力を削減することができる。
【０１２９】
（実施の形態７）
図２８は、実施の形態７の給湯機の構成図である。また、本実施の形態の給湯機の正面外観図は、実施の形態２と同じであるため、図８、図９を用いて説明する。なお、実施の形態１〜実施の形態６と同じ部位については、同じ符号を付してその説明を省略する。
【０１３０】
本実施の形態７の給湯機は、給湯配管１４に自動温度調節器であるサーモスタット６０を設け、さらにヒータ通電制御素子１９へのゲート信号のＯＮ・ＯＦＦを行う信号スイッチ６２を有している。サーモスタット６０は、第２の所定の温度を検出すればサーモスタット６０内に設けられたスイッチ６０ａがＯＮし、第３の所定の温度を検出すればサーモスタット６０内に設けられたスイッチ６０ａがＯＦＦするものであり、信号スイッチ６２とスイッチ６０ａとが並列に設けられている。図２８に示すヒータ通電制御素子１９はトライアックで構成され、トライアックのゲートに信号を入力することで、ヒータ１３への通電をＯＮ・ＯＦＦを行っている。
【０１３１】
以上のように構成された給湯機について、以下、その動作・作用について説明する。
【０１３２】
本実施の形態の給湯機を使用する場合、まず、出湯スイッチ８を一度押す。出湯スイッチ８が押されると、止水栓１７が開栓するとともに、電源スイッチ２２および信号スイッチ６２がオンして各構成部品への電源供給が開始する。そして、止水栓１７が開栓した結果、給水口３へ給水が開始され、流量センサ１６で給水流量を検知し、流量センサ１６で所定流量（例えば、毎分１Ｌ）を検知すると、ヒータ通電制御素子１９のゲートへ通電開始の信号を送りヒータ１３への通電が開始される。
【０１３３】
まず、温冷スイッチ１０がＯＦＦの時のシャワー浴について説明する。本実施の形態の給湯機は、使用者が温度ボリューム３０を操作して、好みの温度（第１の所定温度Ｔａ）を設定する。そして温度センサ３１で検出する温度が、温度ボリューム３０で設定した第１の所定温度Ｔａとなるようにヒータ１３の出力を調整するものである。
【０１３４】
そこで、まず使用者は、出湯スイッチ８を押してシャワーヘッド５からの温水の吐出を開始する。この時、電源スイッチ２２および信号スイッチ６１もＯＮとなり、各制御装置等に電源が供給される。そして、流量センサ１６で所定流量を検出すると、ヒータ１３への通電を開始してタンク１２内の湯水を温め始める。なお、本実施の形態では、流量センサで毎分１Ｌの流量を検出すると、ヒータ１３への通電を開始しているが、所定流量はこれに限定されることはない。
【０１３５】
そして使用者は、温度ボリューム３０を操作して第１の所定温度Ｔａを設定する。その結果、図２６に示すように、出湯スイッチ８を押してシャワーヘッド５からの出湯を開始しても、温冷スイッチ１０がＯＦＦしている時は、温度センサ３１で検出する温度が、温度ボリューム３０で設定された第１の所定温度Ｔａとなるようにヒータ１３の出力が調節される。そして、再度、使用者が出湯スイッチ８を押してシャワーヘッド５からの出湯を
停止すると、ヒータ１３からの出力も停止し、使用者はシャワー浴を終了する。
【０１３６】
次に、温冷スイッチ１０がオンの時のシャワー浴について説明する。図２７は、温冷スイッチ１０がＯＮの時のサーモスタット６０で検知する温度の状態図である。
【０１３７】
まず、出湯スイッチ８を押して、シャワーヘッド５からの出湯を開始する。そして、温度ボリューム３０を操作することによって第１の所定温度Ｔａを調節し、シャワーヘッド５から吐出する温水の温度を設定する。
【０１３８】
次に、出湯スイッチ８を押した後に、温冷スイッチ１０のＯＮボタン１０ａを押す。ＯＮボタン１０ａを押すと、信号スイッチ６２がＯＦＦとなり、温冷浴モードに移行し、温冷ランプ１１が点灯する。温冷浴モードに移行すると、ヒータ１３への通電はサーモスタット６０内に設けられたスイッチ６０ａで制御することになる。
【０１３９】
サーモスタット６０では、第２の所定温度Ｔｂ（低温側）と第３の所定温度Ｔｃ（高温側）でスイッチ６０ａをＯＮ・ＯＦＦする特性を持っており、第２の所定温度Ｔｂを検知すればスイッチ６０ａをＯＮし、第３の所定温度Ｔｃを検知すればスイッチ６０ａをＯＦＦしている。つまり、本実施の形態６の場合、給湯配管１４を流れる湯水の温度をサーモスタット６０で検知してヒータ１３の通電をＯＮ・ＯＦＦしている。
【０１４０】
そして、図２７に示すように、温冷浴モードに移行すると、サーモスタット６０で給湯配管１４内を流れる湯水の温度を検知した結果、第３の所定温度Ｔｃを超えていれば、スイッチ６０ａがＯＦＦとなり、ヒータ１３の通電を停止する。その結果、給湯配管１４内を流れる湯水の温度が徐々に低下し、第２の所定温度Ｔｂまで低下する。
【０１４１】
次に、給湯配管１４内を流れる湯水の温度が徐々に低下し、サーモスタット６０で第２の所定温度Ｔｂを検知すると、スイッチ６０ａがＯＮとなる。スイッチ６０ａがＯＮとなると、ヒータ１３への通電が開始され、給湯配管１４内を流れる湯水の温度は上昇し始める。
【０１４２】
そして、ヒータ１３への通電が開始され、給湯配管１４内を流れる湯水の温度が徐々に上昇し、サーモスタット６０で第３の所定温度Ｔｃを検知すると、スイッチ６０ａがＯＦＦとなり、ヒータ１３の通電を停止する。その結果、給湯配管１４内を流れる湯水の温度が徐々に低下し、第２の所定温度Ｔｂまで低下する。これを繰り返すことによって、シャワーヘッド５から出湯する湯水の温度を上下に変化することが出来る。
【０１４３】
また、シャワーヘッド５から湯水を出湯させている途中で、ＯＦＦボタン１０ｂを押すことで温冷浴を終了することができ、通電スイッチ６１がＯＮして通常のシャワー浴となる。
【０１４４】
なお、第２の所定温度Ｔｂと第３の所定温度Ｔｃとの差は、３℃以上の温度差を有していることが望ましい。これは、温度差が大きいほど心拍数を低下させる効果が大きく、例えば、第２の所定温度Ｔｂに３０℃、第３の所定温度Ｔｃに３５℃と予め設定されていると、温冷浴では５℃差の温水を交互に浴びることができる。
【０１４５】
このように、本実施の形態では、ヒータ１３への通電をサーモスタット６０で検知する温度によってＯＮ／ＯＦＦすることで、使用者は、高温水と低温水とを交互に定期的に浴びることができ、非常に健康に良い。また、温冷浴を行うことによって、平均心拍数を下げることができるため、使用者の心臓の負担を軽減し、快適なシャワー浴を行うことができる。
【０１４６】
また、所定時間毎にヒータ１３の出力を変更するので、消費電力を削減することができ、ヒータ１３への通電を停止した時間分だけ消費電力を削減することができる。
【０１４７】
（実施の形態８）
図２９は、実施の形態８の給湯機の構成図である。また、本実施の形態の給湯機の正面外観図は、実施の形態１と同じであるため、図１、図２を用いて説明する。なお、実施の形態１〜実施の形態７と同じ部位については、同じ符号を付してその説明を省略する。
【０１４８】
実施の形態７の給湯機が、温冷スイッチＯＦＦ時のシャワー浴の温度調節をタンク１２内に設けた温度センサ３１で行っているのに対して、本実施の形態８の給湯機は、実施の形態１と同様にヒータ１３の出力を直接設定するものである。
【０１４９】
以上のように構成された給湯機について、以下、その動作・作用について説明する。
【０１５０】
本実施の形態の給湯機を使用する場合、まず、出湯スイッチ８を一度押す。出湯スイッチ８が押されると、止水栓１７が開栓するとともに、電源スイッチ２２および信号スイッチ６２がオンして各構成部品への電源供給が開始する。そして、止水栓１７が開栓した結果、給水口３へ給水が開始され、流量センサ１６で給水流量を検知し、流量センサ１６で所定流量（例えば、毎分１Ｌ）を検知すると、ヒータ通電制御素子（トライアック）１９のゲートへ通電開始の信号を送りヒータ１３への通電が開始される。
【０１５１】
まず、温冷スイッチ１０がＯＦＦの時のシャワー浴について説明する。本実施の形態の給湯機は、温冷スイッチ１０がＯＦＦの場合の熱源の出力は、使用者が熱源調整ボリューム９で設定した出力となるように調節される。
【０１５２】
そのため、まず使用者は、出湯スイッチ８を押してシャワーヘッド５からの温水の吐出を開始する。この時、電源スイッチ２２および信号スイッチ６１もＯＮとなり、各制御装置等に電源が供給される。そして、流量センサ１６で所定流量を検出すると、ヒータ１３への通電を開始してタンク１２内の湯水を温め始める。なお、本実施の形態では、流量センサで毎分１Ｌの流量を検出すると、ヒータ１３への通電を開始しているが、所定流量はこれに限定されることはない。
【０１５３】
そして使用者は、熱源調整ボリューム９を操作して熱源の出力を設定する。その結果、出湯スイッチ８を押してシャワーヘッド５からの出湯が開始すると、ヒータ１３の出力が、熱源調整ボリューム９で設定された出力となるように調節される。そして、再度、使用者が出湯スイッチ８を押してシャワーヘッド５からの出湯を停止すると、ヒータ１３からの出力も停止し、使用者はシャワー浴を終了する。
【０１５４】
次に、温冷スイッチ１０がＯＮの時のシャワー浴について説明する。まず、出湯スイッチ８を押して、シャワーヘッド５からの出湯を開始する。そして、熱源調整ボリューム９を操作して熱源の出力を設定し、シャワーヘッド５から吐出する温水の温度を設定する。
【０１５５】
次に、出湯スイッチ８を押した後に、温冷スイッチ１０のＯＮボタン１０ａを押す。ＯＮボタン１０ａを押すと、信号スイッチ６２がＯＦＦとなり、温冷浴モードに移行し、温冷ランプ１１が点灯する。温冷浴モードに移行すると、ヒータ１３への通電はサーモスタット６０内に設けられたスイッチ６０ａで制御することになる。
【０１５６】
サーモスタット６０では、低設定温度Ｔｄと高所定温度Ｔｅでスイッチ６０ａをＯＮ・ＯＦＦする特性を持っており、低設定温度Ｔｄを検知すればスイッチ６０ａをＯＮし、高
設定温度Ｔｅを検知すればスイッチ６０ａをＯＦＦしている。つまり、本実施の形態８の場合、給湯配管１４を流れる湯水の温度をサーモスタット６０で検知してヒータ１３の通電をＯＮ・ＯＦＦしている。
【０１５７】
そして、温冷浴モードに移行すると、サーモスタット６０で給湯配管１４内を流れる湯水の温度を検知した結果、高所定温度Ｔｅを超えていれば、スイッチ６０ａがＯＦＦとなり、ヒータ１３の通電を停止する。その結果、給湯配管１４内を流れる湯水の温度が徐々に低下し、低所定温度Ｔｄまで低下する。
【０１５８】
次に、給湯配管１４内を流れる湯水の温度が徐々に低下し、サーモスタット６０で低設定温度Ｔｄを検知すると、スイッチ６０ａがＯＮとなる。スイッチ６０ａがＯＮとなると、ヒータ１３への通電が開始され、給湯配管１４内を流れる湯水の温度は上昇し始める。
【０１５９】
そして、ヒータ１３への通電が開始され、給湯配管１４内を流れる湯水の温度が徐々に上昇し、サーモスタット６０で高設定温度Ｔｅを検知すると、スイッチ６０ａがＯＦＦとなり、ヒータ１３の通電を停止する。その結果、給湯配管１４内を流れる湯水の温度が徐々に低下し、低設定温度Ｔｄまで低下する。これを繰り返すことによって、シャワーヘッド５から出湯する湯水の温度を上下に変化することが出来る。
【０１６０】
また、シャワーヘッド５から湯水を出湯させている途中で、ＯＦＦボタン１０ｂを押すことで温冷浴を終了することができ、通電スイッチ６１がＯＮして通常のシャワー浴となる。なお、本実施の形態８では、ヒータ通電制御素子１９のゲート信号をＯＮ・ＯＦＦすることでヒータ１３への通電を制御しているが、図３０に示すように、通電スイッチ６１を設けて、ヒータ１３への通電を直接ＯＮ・ＯＦＦしてもよい。
【０１６１】
また、低設定温度Ｔｄと高設定温度Ｔｅとの差は、３℃以上の温度差を有していることが望ましい。これは、温度差が大きいほど心拍数を低下させる効果が大きく、例えば、低設定温度Ｔｄに３０℃、高設定温度Ｔｅに３５℃と予め設定されていると、温冷浴では５℃差の温水を交互に浴びることができる。
【０１６２】
このように、本実施の形態では、ヒータ１３への通電をサーモスタット６０で検知する温度によってＯＮ／ＯＦＦすることで、使用者は、高温水と低温水とを交互に定期的に浴びることができ、非常に健康に良い。また、温冷浴を行うことによって、平均心拍数を下げることができるため、使用者の心臓の負担を軽減し、快適なシャワー浴を行うことができる。
【０１６３】
また、所定時間毎にヒータ１３の出力を変更するので、消費電力を削減することができ、ヒータ１３への通電を停止した時間分だけ消費電力を削減することができる。
【産業上の利用可能性】
【０１６４】
以上のように、本発明の給湯機は、使用者がシャワー浴を行う時に、通常のシャワー浴に加えて、異なる温度の湯水を交互に出湯することによって、心臓への負担を低減し、疲労回復および健康増進を図ることができ、さらには通常のシャワー浴に比べて、消費電力を低減することができるので、非常に環境に配慮した給湯機であり、実施の形態では熱源にヒータを使用した給湯機について説明したが、熱源がヒートポンプやガスなどの熱源であっても、本発明を適用することができる。
【符号の説明】
【０１６５】
１  筐体
２  給湯口
３  給水口
４  シャワーホース
５  シャワーヘッド
６  流量調節バルブ
７  入水管
８  出湯スイッチ
９  熱源調整ボリューム
１０  温冷スイッチ
１０ａ  ＯＮボタン
１０ｂ  ＯＦＦボタン
１１  温冷ランプ
１２  タンク
１３  ヒータ
１４  給湯配管
１５  給水配管
１６  流量センサ
１７  止水栓
１８  電源制御装置
１９  ヒータ通電制御素子
２０  熱源制御装置
２１  温冷水制御装置
２２  電源スイッチ
３０  温度ボリューム
３１  温度センサ
４０  低温設定ボリューム
５０  時間設定ボリューム
５１  表示部
５２  操作部
６０  サーモスタット
６１  通電スイッチ
６２  信号スイッチ
【図２７】
2011007432.tif 000003
【図１】
2011007432.tif 000004
【図２】
2011007432.tif 000005
【図３】
2011007432.tif 000006
【図４】
2011007432.tif 000007
【図５】
2011007432.tif 000008
【図６】
2011007432.tif 000009
【図７】
2011007432.tif 000010
【図８】
2011007432.tif 000011
【図９】
2011007432.tif 000012
【図１０】
2011007432.tif 000013
【図１１】
2011007432.tif 000014
【図１２】
2011007432.tif 000015
【図１３】
2011007432.tif 000016
【図１４】
2011007432.tif 000017
【図１５】
2011007432.tif 000018
【図１６】
2011007432.tif 000019
【図１７】
2011007432.tif 000020
【図１８】
2011007432.tif 000021
【図１９】
2011007432.tif 000022
【図２０】
2011007432.tif 000023
【図２１】
2011007432.tif 000024
【図２２】
2011007432.tif 000025
【図２３】
2011007432.tif 000026
【図２４】
2011007432.tif 000027
【図２５】
2011007432.tif 000028
【図２６】
2011007432.tif 000029
【図２８】
2011007432.tif 000030
【図２９】
2011007432.tif 000031
【図３０】
2011007432.tif 000032